(57)【要約】【課題】豆炭コタツの脚部受け金具をやぐら用天板の各隅の下側に固定する木ネジに緩みが発生するのを防止すると共に、脚部受け金具の脱落を防止し、また燃焼器の脱落を防止することによって、安価で安全性の高い豆炭コタツを提供する。【解決手段】やぐら用天板２の各隅部の下側に脚部受け金具５を位置合わせした状態にして、やぐら用天板２と脚部受け金具５とを断面コ字形の脚部用固定金具６で挟み込むと共に、脚部受け金具５に形成されたネジ穴５ａと脚部用固定金具６に形成されたネジ穴６ｃとを位置合わせして止めネジ（木ネジ１２）をねじ込むことにより、やぐら用天板２と脚部受け金具５とを脚部用固定金具６で固定状態に保持した。【選択図】図４
2009180379.tif 000002
【特許請求の範囲】
【請求項１】
やぐら用天板の各隅部の下側に脚部材の上端を固定した脚部受け金具をネジ止めすると共に、やぐら用天板の下部中央に豆炭用の燃焼器をネジ止めしてなる豆炭コタツにおいて、
やぐら用天板の各隅部の下側に脚部受け金具を位置合わせした状態にして、やぐら用天板と脚部受け金具とを断面コ字形の脚部用固定金具で挟み込むと共に、
脚部受け金具に形成されたネジ穴と脚部用固定金具に形成されたネジ穴とを位置合わせして止めネジをねじ込むことにより、
やぐら用天板と脚部受け金具とを脚部用固定金具で固定状態に保持することを特徴とする豆炭コタツ。
【請求項２】
やぐら用天板の各隅部の下側に脚部材の上端を固定した脚部受け金具をネジ止めすると共に、やぐら用天板の下部中央に豆炭用の燃焼器をネジ止めしてなる豆炭コタツにおいて、
やぐら用天板の下部に複数の桟を格子状に組み合わせてなる中央区画部の対向二辺の各桟の下面内側に沿って上方に凹んだ段差面を形成すると共に、
中央区画部のその他の対向二辺の各桟の内側に付設した補助桟の下面を段差面の高さに合わせてネジ止めし、
中央区画部の対向二辺の段差面と両側の補助桟の下面とから成る四辺嵌合部に燃焼器の周辺部を嵌み込む一方、
補助桟を固定した各桟の上面に凹溝を形成すると共に、各凹溝と燃焼器の周辺部とを断面コ字形の燃焼器用固定金具で挟み込み、
さらに燃焼器用固定金具の下片を各桟に固設された埋込みナットにボルトで固定したことを特徴とする豆炭コタツ。
【請求項３】
燃焼器の周辺部は、中央区画部において対向する補助桟の所定位置に固設された埋込みナットにボルトで固定するようにしたことを特徴とする請求項２記載の豆炭コタツ。
【発明の詳細な説明】
【技術分野】
【０００１】
本発明は、やぐらコタツの熱源として豆炭を用いた豆炭コタツに関する。
【背景技術】
【０００２】
従来から普及しているやぐらコタツとしては、天板の下部に電気式ヒーターユニットを備えた電気コタツが知られている。ところが、被災地等においては、電源の供給が不安定であり、停電時又は電源のない所でも使用可能な暖房器具として、豆炭コタツが有用なものとなる。この豆炭コタツは、暖房費が電気コタツの約半分であるというように経済的に有利であるほか、電気コードがないため、扉等の開閉の邪魔になることがなく、また電気コードに足を引掛けて転倒することもなく、安全性の面でも有利な暖房器具である。
【０００３】
この豆炭コタツの構造は、やぐら用天板の四方隅部に脚部材をネジ等で固定する一方、天板の下部中央に燃焼器が固定され、使用時に、着火した豆炭を燃焼器中具に収容すると共に、この燃焼器中具を燃焼器の内部に収納するものである。
【０００４】
ところで、豆炭コタツは、豆炭を着火状態で使用するため、電気コタツ以上に安全性が要求される。また、豆炭コタツの未使用時には、倉庫や押入等にコンパクトに収納し、また壁面等に立て掛けたりすることができるように、脚部材を取り外したり、折り畳んだりすることができる構造とするのが望ましい。
【０００５】
従って、従来の豆炭コタツの脚部構造は、通常、やぐら用天板を構成する木製外枠の下部に脚部材を着脱自在に支持する金具を木ネジで固定してあるため、脚部材を揺動させるような負荷がかかると、その負荷は木ネジに直接作用する。特に、木ネジはこのような揺動作用で緩みやすいため、木ネジが脱落して脚部材が外れると、豆炭コタツが転倒するという事態を生じ、火災の原因となる。
【０００６】
また、やぐら用天板の下部中央に固定してある燃焼器は、コタツに入った使用者の足の動作で頻繁に押圧を受けるものであるが、従来は、やぐら用天板に燃焼器の周辺部を木ネジで固定していたため、その木ネジは上記のように緩みやすく、木ネジの脱落によって燃焼器が落下すると、やはり火災の原因となるものであった。なお、燃焼器の周辺部は角部を有するため、この角部に使用者の足が当って怪我をするという危険性もあった。
【０００７】
そこで、豆炭コタツに関する従来技術を調査したところ、豆炭コタツに関する特許文献は見出し難いものであった。一方、電気コタツの分野において、その脚部取付け構造に関する特許文献１を参照すると、その技術は、従来の天板と脚部が木製であるため、強度的に弱く、特に天板と脚部との接合部が壊れやすいという事情に基づいてなされたもので、これを解消するために、天板と脚部とを金属製で構成することによって、その接合部を強化する構造としたものである。
【０００８】
ところが、上記のように、やぐらコタツの主構成である天板と脚部とを金属製にすると、やぐらコタツの大部分が金属製の構造となり、重量が大になるほか、価格的にも高価になるという不都合が生じる。また、天板と脚部とを金属製にすると、暖房の初期の段階では人の足が触れたときに冷たい感触が伝わり、また暖房時間が経過した後は、金属製部分が熱を持って火傷の原因ともなるため、使用上の問題からも、やぐらコタツの天板と脚部は、従来通り、なるべく木製とするのが望ましい。
【特許文献１】実公昭６３−４７７６５号公報
【発明の開示】
【発明が解決しようとする課題】
【０００９】
本発明は、以上の事情を考慮してなされたものであり、豆炭コタツの脚部受け金具をやぐら用天板の各隅の下側に固定するための木ネジに緩みが発生するのを防止すると共に、脚部受け金具の脱落を防止し、また燃焼器の脱落を防止することによって、安価で安全性の高い豆炭コタツを提供することを目的とする。
【課題を解決するための手段】
【００１０】
上記の問題を解決するために、本発明における請求項１の豆炭コタツは、やぐら用天板の各隅部の下側に脚部材の上端を固定した脚部受け金具をネジ止めすると共に、やぐら用天板の下部中央に豆炭用の燃焼器をネジ止めしてなる豆炭コタツにおいて、やぐら用天板の各隅部の下側に脚部受け金具を位置合わせした状態にして、やぐら用天板と脚部受け金具とを断面コ字形の脚部用固定金具で挟み込むと共に、脚部受け金具に形成されたネジ穴と脚部用固定金具に形成されたネジ穴とを位置合わせして止めネジをねじ込むことにより、やぐら用天板と脚部受け金具とを脚部用固定金具で固定状態に保持することを特徴とする。
【００１１】
また、請求項２の豆炭コタツは、やぐら用天板の各隅部の下側に脚部材の上端を固定した脚部受け金具をネジ止めすると共に、やぐら用天板の下部中央に豆炭用の燃焼器をネジ止めしてなる豆炭コタツにおいて、やぐら用天板の下部に複数の桟を格子状に組み合わせてなる中央区画部の対向二辺の各桟の下面内側に沿って上方に凹んだ段差面を形成すると共に、中央区画部のその他の対向二辺の各桟の内側に付設した補助桟の下面を段差面の高さに合わせてネジ止めし、中央区画部の対向二辺の段差面と両側の補助桟の下面とから成る四辺嵌合部に燃焼器の周辺部を嵌み込む一方、補助桟を固定した各桟の上面に凹溝を形成すると共に、各凹溝と燃焼器の周辺部とを断面コ字形の燃焼器用固定金具で挟み込み、さらに燃焼器用固定金具の下片を各桟に固設された埋込みナットにボルトで固定したことを特徴とする。
【００１２】
さらに、請求項３の豆炭コタツは、請求項２において、燃焼器の周辺部は、中央区画部において対向する補助桟の所定位置に固設された埋込みナットにボルトで固定するようにしたことを特徴とする。
【発明の効果】
【００１３】
本発明の請求項１の豆炭コタツによれば、脚部材を固定した脚部受け金具をやぐら用天板に脚部用固定金具で挟み込み、脚部受け金具と脚部用固定金具とがやぐら用天板に対して同時に止めネジされることにより、やぐら用天板と脚部受け金具とが脚部用固定金具で固定状態に保持された構成となる。
【００１４】
従って、豆炭コタツを使用中に脚部材を揺動させるような負荷がかかった場合でも、脚部用固定金具によって脚部受け金具の揺動は相殺され、木ネジを揺動させる負荷が極めて小さくなり、木ネジの緩みを防止する結果、脚部受け金具の脱落を防止することが可能となる。そのため脚部材がぐらついたり、外れたりすることもなく、転倒の危険性が極めて少ない安全な豆炭コタツを提供することが可能となる。
【００１５】
また、本発明の請求項２の豆炭コタツによれば、豆炭コタツの下部の中央区角部が上方に凹んだ四辺嵌合部を有し、この四辺嵌合部に燃焼器の周辺部が埋没した状態で嵌合されると共に、燃焼器の周辺部と桟とを燃焼器用固定金具で同時に挟み込んだうえ、燃焼器用固定金具をボルトで埋込みナットに締結した構成としてあるため、仮に燃焼器用固定金具のボルトが緩んだとしても、燃焼器が脱落することがなく、燃焼器をやぐら用天板の中央区画部に収めた状態を保つことができ、火災等の危険性を回避し得る安全性の高い豆炭コタツを提供することが可能となる。
【００１６】
さらに、豆炭コタツの中央区角部に形成された四辺嵌合部に燃焼器の周辺部が埋没した状態で嵌合された構成によって燃焼器は四方向に拘束され、さらに燃焼器の周辺部をボルトで埋込みナットに締結すると共に、燃焼器の周辺部が各桟の埋込みナットにボルト固定された燃焼器用固定金具で保持されているため、この豆炭コタツに入った使用者が足で燃焼器を押圧しても、燃焼器が横ずれすることなく定位置に保持される。また、燃焼器の周辺部の角部が足に当って怪我をするという危険性が極めて少なく、身体的にも安全性の高い豆炭コタツを提供することが可能となる。
【発明を実施するための最良の形態】
【００１７】
以下、本発明の実施例について図面を参照しながら説明する。
【実施例１】
【００１８】
この実施例は、図１に示す豆炭コタツ１に設けられたやぐら用天板２の各隅部３、３…の下側に脚部材４の上端を固定した脚部受け金具５をネジ止めした際のネジの緩みを防止すると共に、脚部受け金具５をやぐら用天板２に脚部用固定金具６で挟み込むことによって脚部受け金具５が外れないようにし、これによって脚部材４の脱落を防止するようにしたものである。
【００１９】
なお、図２（ａ）は、図１に図示した豆炭コタツ１のやぐら用天板２の下面の見上げ図であり、図２(ｂ)は、やぐら用天板の中央区画部１０を部分的に拡大した見上げ図である。また、図３（ａ）は図２（ａ）に示したやぐら用天板２の一つの隅部３に脚部受け金具５を添えた状態を示す見上げ図であり、図３（ｂ）はやぐら用天板２の一つの隅部３に脚部受け金具５をネジ止めした状況を示す見上げ図である。図４（ａ）、（ｂ）は図３（ｂ）のＡ−Ａ線に沿う断面部に相当する断面図であり、図４（ａ）は脚部用固定金具６を取り付ける前の状況を示す部分断面図であり、図４（ｂ）は図４（ａ）の状態から脚部用固定金具６を取り付けた状態を示す部分断面図であり、図４(ｃ)は脚部用固定金具６の斜視図である。
【００２０】
図２（ａ）に示すように、本実施例のやぐら用天板２は平面形状が四角形に形成され、四辺をなす木製の外枠部材８、８…の内側に四角形ボード７が固設されると共に、四角形ボード７の下面には、外枠部材８、８…の内部に木製の桟９、９…を格子状に設けることによって中央区画部１０が構成されている。
【００２１】
このやぐら用天板２の各隅部３の下側に脚部材４を固定した脚部受け金具５を固設する。この脚部材４は図１に示すように上部が下部よりやや大径の木製丸棒を使用してあり、脚部材４の上端中央にはネジ棒４ａ（図４（ａ）参照）が埋め込まれている。
【００２２】
また、脚部受け金具５は、図３（ａ）に示すように平面形状が略直角二等辺三角形を成す金属板からなり、直角を挟む二辺の各辺に沿って２個ずつネジ穴５ａ、５ａが離間状態に形成されている。また、この脚部受け金具５の中央に形成された雌ネジ又は挿通穴を介して脚部受け金具５の上面にナット１１（図４（ａ）参照）を固定してなるネジ穴５ｂが形成され、図４（ａ）に示すように、上記の脚部材４のネジ棒４ａを脚部受け金具５のネジ穴５ｂにねじ込むことによって、脚部材４を脚部受け金具５に固定することができる。
【００２３】
また、図３（ｂ）に示すように、脚部受け金具５をやぐら用天板２の各隅部３の下面に位置合わせすると共に、図４（ａ）、（ｂ）に示すように、やぐら用天板２の上面と脚部受け金具５の下面とを断面コ字形の脚部用固定金具６で挟み込む。この脚部用固定金具６は、図４(ｃ)に示すように、断面コ字形の上片６ａと下片６ｂとが略同様の長さとされ、下片６ｂには離間位置に２個のネジ穴６ｃ、６ｃが形成されている。これらの２個のネジ穴６ｃ、６ｃは図３（ａ）に示すように、やぐら用天板２の隅部３を成す各外枠部材８、８に離間状態で形成された２個の案内穴８ａ、８ａに合致するものである。
【００２４】
そして、図３（ａ）又は図４（ａ）〜（ｃ）に示すように、脚部受け金具５に形成された２個のネジ穴５ａ、５ａと脚部用固定金具６に形成された２個のネジ穴６ｃ、６ｃとを合わせて各案内穴８ａ、８ａに止めネジ（本実施例では木ネジ１２を使用している）をねじ込むことにより、脚部受け金具５とやぐら用天板２（外枠部材８）とを脚部用固定金具６で挟み込むことによって、脚部受け金具５とやぐら用天板２（外枠部材８）とを脚部用固定金具６で一括的に保持することが可能となる。
【００２５】
なお、図４（ａ）〜（ｃ）に示す木ネジ１２の替わりにタッピングネジを使用してもよい。このタッピングネジを捩じ込むことによって各ネジ穴６ｃ、６ｃにネジ山ができ、タッピングネジと螺合した状態となるため、外枠部材８のネジ穴がタッピングネジに対して所謂バカ状態になっても、タッピングネジが外れることがない。
【００２６】
上記の構成により、本実施例による豆炭コタツ１を使用中、またはその他の場合に、脚部材４を揺動させるような負荷が生じた場合でも、脚部受け金具５とやぐら用天板２（外枠部材８）とを挟み込んだ脚部用固定金具６によって脚部受け金具５の揺動は減少する結果、木ネジ１２（又はタッピングネジ）を揺動させるような負荷は極めて小さくなり、従って木ネジ１２の緩みを防止することができ、これによって脚部受け金具５の脱落、即ち脚部材４の脱落を防止することが可能となる。
【００２７】
さらに、図４(ｃ)に示すように、脚部用固定金具６の面内にネジ穴６ｄを形成し、図４（ａ）、（ｂ）に示すように、このネジ穴６ｄに木ネジ２５をねじ込んで外枠部材８に固定することにより、脚部用固定金具６の固定状態をより堅固に維持すると共に、脚部受け金具５の脱落、及び脚部材４の脱落を防止することが可能となる。また、木ネジ２５の替わりにタッピングネジを使用することによってネジ穴６ｄにネジ山が形成され、外枠部材８のネジ穴が所謂バカ状態になっても、タッピングネジが外れることがない。
【実施例２】
【００２８】
この実施例は、図１に示す豆炭コタツ１に設けられたやぐら用天板２の下部中央にネジ止めされた豆単用燃焼器１３の脱落を防止するようにしたものである。なお、図５（ａ）は、図２（ａ）のＢ−Ｂ線に相当するする箇所の断面図であり、図５(ｂ)は図２（ｂ）のＣ−Ｃ線に相当する箇所の断面図であって燃焼器用固定金具１４の取付け前の状況を示し、図５（ｃ）は燃焼器用固定金具１４を取付けた状況を示し、図５（ｄ）は燃焼器用固定金具１４を示す斜視図である。
【００２９】
図２（ａ）に示すようにやぐら用天板２の下部に複数の桟９、９…を格子状に組み合わせてなる中央区画部１０の対向二辺の各桟９Ａ、９Ａの下面内側に沿って上方に凹んだ段差面１５（図５(ａ)参照）を形成すると共に、中央区画部１０のその他の対向二辺の各桟９Ｂ、９Ｂの内側に沿って補助桟１６、１６（図５(ｂ)参照）の下面を上記の桟９Ａの段差面１５の高さに合わせた状態にして、各補助桟１６、１６を木ネジ１７で各桟９Ｂ、９Ｂにねじ込むことによって固定している。
【００３０】
このような構成により、図２(ｂ)に示す中央区画部１０の対向二辺の各桟９Ａ、９Ａの段差面１５、１５とその他の対向二辺の補助桟１６、１６の下面１６ａ、１６ａとが均等に上方に凹んでなる四辺嵌合部１９、１９…が形成され、この四辺嵌合部１９、１９に燃焼器１３の周辺部１３ａを嵌め込むことによって、図５(ｃ)に示すように、燃焼器１３の周辺部１３ａが埋没した状態となり、図２(ｂ)に示すように、燃焼器１３は中央区画部１０の四辺嵌合部１９、１９…において四辺が拘束された固定状態となる。
【００３１】
また、本実施例において、燃焼器１３の周辺部１３ａは、図２（ａ）に示すように、中央区画部１０において対向する補助桟１６、１６の四方隅部に埋め込まれた埋込みナット２０にボルト２１で固定し（図２（ｂ）、図５(ｃ)参照）、上記のように四辺嵌合部１９、１９…に嵌合された燃焼器１３を定位置に堅固に固定することが可能となる。
【００３２】
さらに、本実施例においては、図２(ａ)に示すように、中央区画部１０の各補助桟１６、１６を固定した両側の桟９Ｂ、９Ｂの上面に凹溝２２ａ、２２ａ（図５(ａ)、（ｂ）参照）が形成されると共に、夫々の凹溝２２ａ、２２ａに連通する凹溝２２ｂ、２２ｂが両側の補助桟１６、１６に形成されている。これらの凹溝２２ａ、２２ｂを形成する位置は、本実施例においては、図２(ａ)、（ｂ）に示すように、両側の桟９Ｂ、９Ｂ及び両側の補助桟１６、１６の互い違いに偏った位置であり、各凹溝２２ａ、２２ｂの幅は後述する燃焼器用固定金具１４の上片１４ａを挿嵌し得る幅を有する。
【００３３】
本実施例で使用する燃焼器用固定金具１４は、図５（ｄ）に示すように、断面コ字形であって同様の突出長さに形成された上片１４ａと下片１４ｂとを有し、下片１４ｂの略中央にネジ穴１４ｃを形成した構成とされている。このような燃焼器用固定金具１４を用いて、図５(ｂ)の取付け前の状態から、図５(ｃ)に示すように燃焼器用固定金具１４の上片１４ａを各凹溝２２ａ、２２ｂに差し込むと共に、燃焼器用固定金具１４の下片１４ｂで燃焼器１３の周辺部１３ａを挟み込んだ状態にし、さらに燃焼器用固定金具１４の下片１４ｂのネジ穴１４ｃにボルト２４を挿入して各桟９Ｂ、９Ｂに固設された埋込みナット２３にねじ込んで固定する。
【００３４】
このような構成により、燃焼器１３の周辺部１３ａが上方に凹んだ四辺嵌合部１９、１９…に埋没された状態で嵌合されることによって燃焼器１３の四辺が拘束されると共に、この燃焼器１３の周辺部１３ａを揺動作用に対して緩み難いボルト２１で埋込みナット２０に締結した構成とすることができる。
【００３５】
さらに、燃焼器１３の周辺部１３ａと桟９Ｂ、９Ｂ及び補助桟１６、１６とを燃焼器用固定金具１４で挟み込んでボルト２４で埋込みナット２３に締結した構成とすることにより、仮に燃焼器１３の周辺部１３ａを固定したボルト２１、２１…が緩んだとしても、燃焼器用固定金具１４によって燃焼器１３が脱落することなく、やぐら用天板２の中央区画部１０に嵌合された状態を保つことが可能となる。
【００３６】
なお、上記の発明の実施例において、やぐら用天板２の使用部材の中でも温度上昇のおそれがある部材には断熱性の植毛を施すことが望ましい。具体的には、図１に示す燃焼器１３の表面全体、及び図５（ｄ）に示す燃焼器用固定金具１４の表面に断熱性の植毛２６を施すことにより、これらの部材の温度上昇を抑え、使用者の身体が接触した場合でも、やけど等を防止すると共に、優しい肌触りの感触をあたえることが可能となる。
【産業上の利用可能性】
【００３７】
本発明の豆炭コタツによれば、豆炭コタツの脚部受け金具をやぐら用天板の各隅の下側に固定するためにねじ込んだ木ネジに緩みが発生するのを防止することによって脚部材の脱落を防止し、またやぐら用天板の下部に取り付けた燃焼器の脱落を防止することによって、火災や身体に対する危険性のない、安全性の高い豆炭コタツとして利用することが可能となる。
【図面の簡単な説明】
【００３８】
【図１】本発明に係る豆炭コタツの斜視図である。
【図２】(ａ)は本発明に係る豆炭コタツのやぐら用天板の下面を見上げて図示した見上げ図であり、（ｂ）はその中央区画部に関する部分拡大図である。
【図３】図３（ａ）は図２（ａ）に図示したやぐら用天板の一つの隅部に脚部受け金具を添えた状態を示す見上げ図であり、図３（ｂ）はやぐら用天板の一つの隅部に脚部受け金具をネジ止めした部分を示す見上げ図である。
【図４】図４（ａ）、（ｂ）は図３（ｂ）のＡ−Ａ線に沿う断面部に相当する断面図であり、図４（ａ）は脚部用固定金具を取り付ける前の状況を示す部分断面図であり、図４（ｂ）は図４（ａ）の状態から脚部用固定金具を取り付けた状態を示す部分断面図であり、図４(ｃ)は脚部用固定金具の斜視図である。
【図５】図５（ａ）は図２（ａ）のＢ−Ｂ線に相当するする箇所の断面図であり、図５(ｂ)は図２（ｂ）のＣ−Ｃ線に相当する箇所の断面図であって燃焼器用固定金具の取付け前の状況を示し、図５（ｃ）は燃焼器用固定金具を取付けた状況を示し、図５（ｄ）は燃焼器用固定金具を示す斜視図である。
【符号の説明】
【００３９】
１  豆炭コタツ
２  やぐら用天板
３  隅部
４  脚部材
４ａ  ネジ棒
５  脚部受け金具
５ａ  ネジ穴
５ｂ  ネジ穴
６  脚部用固定金具
６ａ  上片
６ｂ  下片
６ｃ  ネジ穴
６ｄ  ネジ穴
７  四角形ボード
８  外枠部材
８ａ  案内穴
９  桟
９Ａ  対向二辺の各桟
９Ｂ  その他の対向二辺の各桟
１０  中央区画部
１１  ナット
１２  木ネジ
１３  燃焼器
１３ａ  燃焼器の周辺部
１４  燃焼器用固定金具
１４ａ  上片
１４ｂ  下片
１４ｃ  ネジ穴
１５  段差面
１６  補助桟
１７  木ネジ
１９  四辺嵌合部
２０  埋込みナット
２１  ボルト
２２ａ、２２ｂ  凹溝
２３  埋込みナット
２４  ボルト
２５  木ネジ
２６  植毛
【図１】
2009180379.tif 000003
【図２】
2009180379.tif 000004
【図３】
2009180379.tif 000005
【図４】
2009180379.tif 000006
【図５】
2009180379.tif 000007